【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
小売店サーバを用いた取引管理方法であって、
ａ）前記小売店サーバを用いて登録電話オプトイン方法を実行するステップを含み、前記登録電話オプトイン方法は、
前記小売店サーバにおいて消費者装置からｍｓｉｓｄｎを受け取るステップと、
前記ｍｓｉｓｄｎを含む第１の登録電話オプトイン要求を前記小売店サーバから請求サーバに送信するステップと、
前記消費者装置からＰＩＮコードを受け取るステップと、
前記ＰＩＮコードを含む第２の登録電話オプトイン要求を前記小売店サーバから前記請求サーバに送信するステップと、
前記小売店サーバにおいて、前記ＰＩＮコードが検証されたか、それとも無効であるかを示す応答を前記請求サーバから受け取るステップと、
を含み、前記取引管理方法は、
ｂ）前記小売店サーバを用いて課金方法を実行するステップをさらに含み、前記課金方法は、
金額と、対応する登録電話オプトイン状態を前記請求サーバが判定するための識別子とを含む課金ＡＰＩコールを、前記ＰＩＮコードが検証された場合には前記小売店サーバから前記請求サーバに送信し、前記ＰＩＮコードが無効の場合には送信しないステップと、
前記小売店サーバにおいて、通信事業者サーバにおけるユーザアカウントに前記請求サーバによって課金が行われたかどうかを示す課金結果コールバック通知を前記請求サーバから受け取るステップと、
を含む、
ことを特徴とする方法。
【請求項２】
前記第１の登録電話オプトイン要求は、ｍｅｒｃｈａｎｔ−ｉｄ（小売店ＩＤ）を含み、前記登録電話オプトインは、前記ｍｅｒｃｈａｎｔ−ｉｄ（小売店ＩＤ）に照らしてアクティブとして記録される、
請求項１に記載の方法。
【請求項３】
前記ｍｓｉｓｄｎは、各々が選択的にアクティブ又は非アクティブに設定された別個の登録電話オプトインパラメータを有する複数のｍｅｒｃｈａｎｔ−ｉｄ（小売店ＩＤ）を含む、
請求項２に記載の方法。
【請求項４】
前記第１の登録電話オプトイン要求は、ｃｏｎｓｕｍｅｒ−ｉｄ（小売店が提供する一意の消費者識別子）、ｃｏｕｎｔｒｙ（ＩＳＯ  ３１６６−１−ａｌｐｈａ−２規格における国コード）、ｉｔｅｍ−ｄｅｓｃｒｉｐｔｉｏｎ（（単複の）購入品目の正確な数量及び品名。複数の品目が購入される場合（例えば、「１０００クレジット」）、数量を含めなければならない。「製品記述（Ｐｒｏｄｕｃｔ  Ｄｅｓｃｒｉｐｔｉｏｎ）」に優先する。２０文字までに制限。それよりも長い文字列は切り捨てられる）、ｍｅｒｃｈａｎｔ−ｉｄ（請求サーバが割り当てる小売店識別子値）、ｍｓｉｓｄｎ（国際ＭＳＩＳＤＮフォーマット：国コード＋携帯電話番号での加入者携帯電話番号）、及びｓｅｒｖｉｃｅ−ｉｄ（小売店が提供する識別子）を含む、
請求項１に記載の方法。
【請求項５】
前記第２の登録電話オプトイン要求は、ｃｏｎｓｕｍｅｒ−ｉｄ（小売店が提供する一意の消費者識別子）、ｃｏｕｎｔｒｙ（ＩＳＯ  ３１６６−１−ａｌｐｈａ−２規格における国コード）、ｉｔｅｍ−ｄｅｓｃｒｉｐｔｉｏｎ（（単複の）購入品目の正確な数量及び品名。複数の品目が購入される場合（例えば、「１０００クレジット」）、数量を含めなければならない。「製品記述（Ｐｒｏｄｕｃｔ  Ｄｅｓｃｒｉｐｔｉｏｎ）」に優先する。２０文字までに制限。それよりも長い文字列は切り捨てられる）、ｍｅｒｃｈａｎｔ−ｉｄ（請求サーバが割り当てる小売店識別子値）、ｍｓｉｓｄｎ（国際ＭＳＩＳＤＮフォーマット：国コード＋携帯電話番号での加入者携帯電話番号）、及びｓｅｒｖｉｃｅ−ｉｄ（小売店が提供する識別子）を含む、
請求項４に記載の方法。
【請求項６】
前記課金ＡＰＩコールは、ｃｏｎｓｕｍｅｒ−ｉｄ（ｚｉｐ又はｒｒｎ、すなわち｛‘ｚｉｐ９４９３９｝などの任意の課金要素を含むＪＳＯＮ構造）、ｃｏｎｓｕｍｅｒ−ｉｐ−ａｄｄｒｅｓｓ（消費者の発信ＩＰアドレス。リスクチェックに使用される。取得できない場合には「ＮＯＴ＿ＡＶＡＩＬＡＢＬＥ」の値を提出）、ｃｏｕｎｔｒｙ（ＩＳＯ  ３１６６−１−ａｌｐｈａ−２規格における国コード）、ｃｕｒｒｅｎｃｙ（ＩＳＯ  ４２１７の３文字通貨コード）、ｅｎｄ−ｍｅｒｃｈａｎｔ−ｉｄ（請求サーバが割り当てる、再販業者を介した取引を提出する最終小売店の小売店ＩＤ）、ｉｔｅｍ−ｄｅｓｃｒｉｐｔｉｏｎ（購入品目の数量及び種類を記述する製品開示（すなわち、「クレジット」ではなく「１０クレジット」）。２０文字までに制限。それよりも長い文字列は切り捨てられる）、ｍｅｒｃｈａｎｔ−ｉｄ（請求サーバが割り当てる小売店識別子値）、ｍｓｉｓｄｎ（国際ＭＳＩＳＤＮフォーマット：国コード＋携帯電話番号での加入者携帯電話番号）、ｒｅｑｕｅｓｔ−ｉｄ（小売店が割り当てる一意の要求ＩＤ）、ｓｕｂｓｃｒｉｐｔｉｏｎ−ｆｒｅｑｕｅｎｃｙ（加入更新の頻度（ＤＡＩＬＹ（毎日）、ＭＯＮＴＨＬＹ（毎月）、ＹＥＡＲＬＹ（毎年））、ｓｕｂｓｃｒｉｐｔｉｏｎ−ｉｄ（小売店が前記消費者の加入に割り当てる一意の識別子）、ｓｅｒｖｉｃｅ−ｉｄ（小売店が提供する識別子）、及びｔｏｔａｌ−ａｍｏｕｎｔ（税込の課金総額）を含む、
請求項１に記載の方法。
【請求項７】
前記課金結果コールバック通知は、ｃｏｎｓｕｍｅｒ−ａｕｔｈ−ｒｅｑｕｉｒｅｄ（請求サーバが割り当てる課金識別子（「課金」要求に成功した場合に戻される））、ｒｅｓｕｌｔ−ｃｏｄｅ（前記要求の結果コード）、及びｒｅｓｕｌｔ−ｍｅｓｓａｇｅ（人間が読み取り可能な結果の記述）を含む、
請求項１に記載の方法。
【請求項８】
ｃ）前記登録電話オプトイン方法の前に、前記小売店サーバを用いて課金情報方法を実行するステップをさらに含み、前記課金情報方法は、
前記小売店サーバから前記請求サーバに課金情報要求を送信するステップと、
前記課金情報要求に応答して、前記小売店サーバにおいて前記請求サーバから課金要素を受け取るステップと、
前記課金要素に基づくフィールドを有するユーザインターフェイスを前記小売店サーバから消費者装置に送信するステップと、
前記小売店サーバにおいて、前記消費者装置において前記フィールド内に入力されたデータを受け取るステップと、
をさらに含み、前記受け取られるデータは、前記第１の登録電話オプトイン要求に含まれる、
請求項１に記載の方法。
【請求項９】
前記課金情報要求は、ｍｅｒｃｈａｎｔ−ｉｄ（請求サーバが割り当てる小売店識別子値）を含む、
請求項８に記載の方法。
【請求項１０】
前記課金要素は、国及びネットワークを含む、
請求項９に記載の方法。
【請求項１１】
ｃ）前記小売店サーバにおいて解除方法を実行するステップをさらに含み、前記解除方法は、
加入の解除の選択を可能にするユーザインターフェイスの画面を前記小売店サーバから消費者装置に送信するステップと、
前記小売店サーバにおいて、前記加入を解除するためのコールを前記消費者装置から前記インターフェイスを介して受け取るステップと、
前記小売店サーバから前記請求サーバに登録電話オプトイン解除ＡＰＩコールを行って、前記登録電話のオプトインを非アクティブに更新するステップと、
をさらに含む、
請求項１に記載の方法。
【請求項１２】
コンピュータのプロセッサによって実行された時に小売店サーバを用いた取引管理方法を実行する命令セットを記憶したコンピュータ可読媒体であって、前記取引管理方法は、  ａ）前記小売店サーバを用いて登録電話オプトイン方法を実行するステップを含み、前記登録電話オプトイン方法は、
前記小売店サーバにおいて消費者装置からｍｓｉｓｄｎを受け取るステップと、
前記ｍｓｉｓｄｎを含む第１の登録電話オプトイン要求を前記小売店サーバから請求サーバに送信するステップと、
前記消費者装置からＰＩＮコードを受け取るステップと、
前記ＰＩＮコードを含む第２の登録電話オプトイン要求を前記小売店サーバから前記請求サーバに送信するステップと、
前記小売店サーバにおいて、前記ＰＩＮコードが検証されたか、それとも無効であるかを示す応答を前記請求サーバから受け取るステップと、
を含み、前記取引管理方法は、
ｂ）前記小売店サーバを用いて課金方法を実行するステップをさらに含み、前記課金方法は、
金額と、対応する登録電話オプトイン状態を前記請求サーバが判定するための識別子とを含む課金ＡＰＩコールを、前記ＰＩＮコードが検証された場合には前記小売店サーバから前記請求サーバに送信し、前記ＰＩＮコードが無効の場合には送信しないステップと、
前記小売店サーバにおいて、通信事業者サーバにおけるユーザアカウントに前記請求サーバによって課金が行われたかどうかを示す課金結果コールバック通知を前記請求サーバから受け取るステップと、
を含む、
ことを特徴とするコンピュータ可読媒体。
【請求項１３】
プロセッサと、
前記プロセッサに接続されたコンピュータ可読媒体と、
前記プロセッサによって実行可能な、前記コンピュータ可読媒体上の命令セットと、
を備えた小売店サーバであって、前記命令セットは、
前記プロセッサが受け取ることができ、第１の登録電話オプトイン要求で請求サーバに送信される、ｍｓｉｓｄｎを入力するためのｍｓｉｓｄｎフィールドと、前記プロセッサが受け取ることができ、第２の登録電話オプトイン要求で前記請求サーバに送信される、ＰＩＮコードを入力するためのＰＩＮコードフィールドとを含む、消費者装置に送信されるユーザインターフェイスと、
課金方法を実行する継続請求管理モジュールと、
を含み、前記課金方法は、
金額と、対応する登録電話オプトイン状態を前記請求サーバが判定するための識別子とを含む課金ＡＰＩコールを、前記ＰＩＮコードが検証された場合には前記小売店サーバから前記請求サーバに送信し、前記ＰＩＮコードが無効の場合には送信しないステップと、
前記小売店サーバにおいて、通信事業者サーバにおけるユーザアカウントに前記請求サーバによって課金が行われたかどうかを示す課金結果コールバック通知を前記請求サーバから受け取るステップと、
を含む、
ことを特徴とする小売店サーバ。